(57)【要約】【課題】ＲＦ−ＩＤシートに内蔵されたＩＣモジュールに付与された識別情報を用いてＲＦ−ＩＤシートの発行状況を管理する。【解決手段】非接触状態にて情報の書き込み及び読み出しが可能に構成され、識別可能となる識別情報が書き込まれたＩＣモジュールが内蔵されたＲＦ−ＩＤシートに対して、ＩＣモジュールに所定のエンコード情報を書き込むとともに表面に印字情報を印字することによりＲＦ−ＩＤシートを発行するシート発行装置１０に、ＩＣモジュールに対してエンコード情報を書き込むとともにＩＣモジュールから識別情報を読み出すリーダ／ライタ部１３と、ＲＦ−ＩＤシートに印字情報を印字する印字ブ１４と、ＲＦ−ＩＤシートの発行状況を、そのＲＦ−ＩＤシートに内蔵されたＩＣモジュールから読み出された識別情報と対応づけてインターフェース部１１を介して上位装置２０に供給する制御部１５とを設ける。【選択図】　図１
2004046691.tif 000002
【特許請求の範囲】
【請求項１】
非接触状態にて情報の書き込み及び読み出しが可能に構成され、識別可能となる識別情報が書き込まれたＩＣモジュールが内蔵されたＲＦ−ＩＤシートに対して、前記ＩＣモジュールに所定のエンコード情報を書き込むとともに表面に印字情報を印字することにより前記ＲＦ−ＩＤシートを発行するシート発行装置であって、
前記ＩＣモジュールに対して前記エンコード情報を書き込むとともに前記ＩＣモジュールから前記識別情報を読み出す情報読出／書込手段と、
前記ＲＦ−ＩＤシートに前記印字情報を印字する印字手段と、
前記ＲＦ−ＩＤシートの発行状況を、当該ＲＦ−ＩＤシートに内蔵されたＩＣモジュールから読み出された識別情報と対応づけて出力する制御手段とを有することを特徴とするシート発行装置。
【請求項２】
請求項１に記載のシート発行装置において、
前記制御手段は、前記情報読出／書込手段にて前記ＩＣモジュールに書き込まれたエンコード情報の内容と、前記印字手段にて前記ＲＦ−ＩＤシートに印字された印字情報の内容とを、前記ＲＦ−ＩＤシートの発行状況として出力することを特徴とするシート発行装置。
【請求項３】
請求項１または請求項２に記載のシート発行装置において、
前記ＲＦ−ＩＤシートの発行処理中における障害を検出する検出手段を有し、
前記制御手段は、前記検出手段にて検出された障害を前記発行状況として出力することを特徴とするシート発行装置。
【発明の詳細な説明】
【０００１】
【発明の属する技術分野】
本発明は、非接触状態にて情報の書き込み及び読み出しが可能なＩＣモジュールが内蔵されたタグやラベル、カード等のＲＦ−ＩＤシートを発行するシート発行装置に関する。
【０００２】
【従来の技術】
近年、情報化社会の進展に伴い、カード等の情報記録媒体に情報を記録し、この情報記録媒体を用いて来場管理や物品管理等の様々な情報処理が行われている。
【０００３】
このような情報処理に用いられる情報記録媒体としては、タグやラベル、あるいはカード等がその一例として挙げられるが、中でも、非接触状態にて情報の書き込み及び読み出しが可能なＩＣモジュールが内蔵されたタグやラベル、カード等のシートは、取り扱いの便利さから多くの分野で利用され始めている。
【０００４】
図４は、非接触状態にて情報の書き込み及び読み出しが可能なＩＣモジュールが内蔵されたＲＦ−ＩＤシートを発行するシート発行装置の一構成例を示すブロック図である。
【０００５】
本従来例は図４に示すように、上位装置（不図示）から供給された印字データやエンコードデータ、並びに印字レイアウトやエンコードレイアウト等の制御情報を受け取るためのインターフェース部１１１と、インターフェース部１１１を介して受け取った情報を記憶する記憶部１１２と、発行するＲＦ−ＩＤシートに内蔵されたＩＣモジュール（不図示）に対して記憶部１１２に記憶されたエンコーダデータを書き込むリーダ／ライタ部１１３と、発行するＲＦ−ＩＤシートに対して記憶部１１２に記憶された印字データを印字する印字部１１４と、インターフェース部１１１を介して受け取った情報を記憶部１１２に書き込み、また、記憶部１１２に記憶されたエンコードレイアウトに従って、記憶部１１２に記憶されたエンコードデータをリーダ／ライタ部１１３によってＩＣモジュールに書き込むとともに、記憶部１１２に記憶された印字レイアウトに従って、記憶部１１２に記憶された印字データを印字部１１４によってＲＦ−ＩＤシートに印字する制御部１１５とから構成されている。
【０００６】
上記のように構成されたシート発行装置においては、ＲＦ−ＩＤシートに印字すべき印字データや、ＩＣモジュールにエンコードすべきエンコードデータや、印字レイアウト及びエンコードレイアウト等の制御情報が上位装置から供給され、インターフェース部１１１を介して受け取られると、まず、インターフェース部１１１を介して受け取った情報が制御部１１５における制御によって記憶部１１２に記憶される。
【０００７】
その後、発行するＲＦ−ＩＤシートがシート発行装置にセットされると、まず、リーダ／ライタ部１１３において、ＲＦ−ＩＤシートに内蔵されたＩＣモジュールの動作の正常性が確認される。なお、ＩＣモジュールの動作の正常性の確認は、リーダ／ライタ部１１３からＩＣモジュールに所定の情報を書き込み、その後、ＩＣモジュールから情報を読み出し、リーダ／ライタ部１１３において書き込んだ情報と比較することにより、情報が正確に書き込まれ、読み出されているかどうかを確認することにより行われる。
【０００８】
ＩＣモジュールの動作の正常性が確認されると、制御部１１５における制御によって、記憶部１１２に記憶されたエンコードレイアウトに従って、記憶部１１２に記憶されたエンコードデータがリーダ／ライタ部１１３によりＩＣモジュールに書き込まれる。
【０００９】
その後、制御部１１５における制御によって、記憶部１１２に記憶された印字レイアウトに従って、記憶部１１２に記憶された印字データが印字部１１４によりＲＦ−ＩＤシートに印字される。
【００１０】
【発明が解決しようとする課題】
しかしながら、上述したような従来のシート発行装置においては、上位装置から供給されたエンコードデータをＲＦ−ＩＤシートに内蔵されたＩＣモジュールに書き込むとともに、上位装置から供給された印字データをＲＦ−ＩＤシートに印字するだけのものであるため、ＩＣモジュールのそれぞれに付与された識別情報を用いてＲＦ−ＩＤシートの発行状況を管理することができず、ＲＦ−ＩＤシートの納入先やその用途を把握することができないという問題点がある。
【００１１】
本発明は、上述したような従来の技術が有する問題点に鑑みてなされたものであって、ＲＦ−ＩＤシートに内蔵されたＩＣモジュールに付与された識別情報を用いてＲＦ−ＩＤシートの発行状況を管理することができるシート発行装置を提供することを目的とする。
【００１２】
【課題を解決するための手段】
上記目的を達成するために本発明は、
非接触状態にて情報の書き込み及び読み出しが可能に構成され、識別可能となる識別情報が書き込まれたＩＣモジュールが内蔵されたＲＦ−ＩＤシートに対して、前記ＩＣモジュールに所定のエンコード情報を書き込むとともに表面に印字情報を印字することにより前記ＲＦ−ＩＤシートを発行するシート発行装置であって、
前記ＩＣモジュールに対して前記エンコード情報を書き込むとともに前記ＩＣモジュールから前記識別情報を読み出す情報読出／書込手段と、
前記ＲＦ−ＩＤシートに前記印字情報を印字する印字手段と、
前記ＲＦ−ＩＤシートの発行状況を、当該ＲＦ−ＩＤシートに内蔵されたＩＣモジュールから読み出された識別情報と対応づけて出力する制御手段とを有することを特徴とする。
【００１３】
また、前記制御手段は、前記情報読出／書込手段にて前記ＩＣモジュールに書き込まれたエンコード情報の内容と、前記印字手段にて前記ＲＦ−ＩＤシートに印字された印字情報の内容とを、前記ＲＦ−ＩＤシートの発行状況として出力することを特徴とする。
【００１４】
また、前記ＲＦ−ＩＤシートの発行処理中における障害を検出する検出手段を有し、
前記制御手段は、前記検出手段にて検出された障害を前記発行状況として出力することを特徴とする。
【００１５】
（作用）
上記のように構成された本発明においては、非接触状態にて情報の書き込み及び読み出しが可能に構成され、識別可能となる識別情報が書き込まれたＩＣモジュールが内蔵されたＲＦ−ＩＤシートに対して、ＩＣモジュールに所定のエンコード情報を書き込むとともに表面に印字情報を印字することによりＲＦ−ＩＤシートを発行する場合、制御手段において、ＲＦ−ＩＤシートの発行状況が、そのＲＦ−ＩＤシートに内蔵されたＩＣモジュールから読み出された識別情報と対応づけて出力されるので、この出力された情報を用いてＲＦ−ＩＤシート毎の発行状況を把握することができる。
【００１６】
このＲＦ−ＩＤシートの発行状況として、情報読出／書込手段にてＩＣモジュールに書き込まれたエンコード情報の内容と、印字手段にてＲＦ−ＩＤシートに印字された印字情報の内容とが出力されれば、この出力された情報を用いて、どのＲＦ−ＩＤシートにどのエンコード情報や印字情報がエンコードあるいは印字されているかを把握することができる。
【００１７】
また、ＲＦ−ＩＤシートの発行状況として、ＲＦ−ＩＤシートの発行処理中における障害情報が出力されれば、この出力された情報を用いて、発行処理中に障害が発生したＲＦ−ＩＤシートを認識することができるとともにその障害内容を認識することができる。
【００１８】
【発明の実施の形態】
以下に、本発明の実施の形態について図面を参照して説明する。
【００１９】
図１は、本発明のシート発行装置を用いたシート発行システムの実施の一形態を示す図である。
【００２０】
本形態は図１に示すように、ＲＦ−ＩＤシートを発行するシート発行装置１０と、ＲＦ−ＩＤシートを発行するための、ＲＦ−ＩＤシートに印字すべき印字データや、ＲＦ−ＩＤシートに内蔵されたＩＣモジュールにエンコードすべきエンコードデータや、印字レイアウト及びエンコードレイアウト等の制御情報からなる発行情報を発行情報データベース３１から取り出してシート発行装置１０に供給するとともに、シート発行装置１０におけるＲＦ−ＩＤシートの発行状況をシート発行装置１０から受け取り、発行状況データベース３２に登録することによりＲＦ−ＩＤシートの発行状況を管理する上位装置２０とから構成されている。
【００２１】
また、シート発行装置１０は、上位装置２０から供給された印字データやエンコードデータ、並びに印字レイアウトやエンコードレイアウト等の制御情報からなる発行情報を受け取るとともに、ＲＦ−ＩＤシートの発行状況を上位装置２０に供給するためのインターフェース部１１と、インターフェース部１１を介して受け取った情報を記憶する記憶部１２と、発行するＲＦ−ＩＤシートに内蔵されたＩＣモジュールに対して記憶部１２に記憶されたエンコーダデータを書き込むとともに、ＩＣモジュール毎に付与された識別情報をＩＣモジュールから読み出すリーダ／ライタ部１３と、発行するＲＦ−ＩＤシートに対して記憶部１２に記憶された印字データを印字する印字部１４と、インターフェース部１１を介して受け取った情報を記憶部１２に書き込み、また、記憶部１２に記憶されたエンコードレイアウトに従って、記憶部１２に記憶されたエンコードデータをリーダ／ライタ部１３によってＩＣモジュールに書き込むとともに、記憶部１２に記憶された印字レイアウトに従って、記憶部１２に記憶された印字データを印字部１４によってＲＦ−ＩＤシートに印字し、さらに、リーダ／ライタ部１３におけるＩＣモジュールに対するエンコードデータの書き込み状況及び印字部１４におけるＲＦ−ＩＤシートに対する印字データの印字状況をＩＣモジュールを識別可能な識別情報と対応づけてインターフェース部１１を介して上位装置２０に供給する制御部１５とから構成されている。
【００２２】
図２は、図１に示したシート発行システムにて発行されるＲＦ−ＩＤシートの一構成例を示す図である。
【００２３】
図２に示すように本形態におけるＲＦ−ＩＤシートにおいては、発行情報データベース３１に登録された印字データが印字される印字領域２が表面に設けられており、また、予め付与された識別情報が書き込まれているとともに、印字領域２に印字された情報等の所定のエンコードデータが書き込まれ、非接触状態にて情報の書き込み及び読み出しが可能なＩＣモジュール３が内蔵されて構成されている。
【００２４】
以下に、図１に示したシート発行システムにおいて図２に示したＲＦ−ＩＤシート１を発行する際の処理について説明する。
【００２５】
図３は、図１に示したシート発行システムにおいて図２に示したＲＦ−ＩＤシート１を発行する際の処理を説明するためのフローチャートである。
【００２６】
まず、上位装置２０において、ＲＦ−ＩＤシート１に印字すべき印字データや、ＲＦ−ＩＤシート１に内蔵されたＩＣモジュール３にエンコードすべきエンコードデータや、印字レイアウト及びエンコードレイアウト等の制御情報からなる発行情報が発行情報データベース３１から取り出される（ステップＳ１）。なお、発行情報データベース３１においては、上述したような発行情報が、それぞれ識別可能な識別情報に対応づけられて登録されており、上位装置２０において、識別情報とともに取り出される。
【００２７】
上位装置２０にて発行情報データベース３１から取り出された発行情報は、上位装置２０からシート発行装置１０に供給される（ステップＳ２）。なお、発行情報の上位装置２０からシート発行装置１０への供給は、例えば、通信回線を用いて行うことが考えられるが、フロッピーディスク等の情報記録媒体を介して行うことも考えられる。
【００２８】
上位装置２０から供給された発行情報は、シート発行装置１０のインターフェース部１１を介して受け取られ（ステップＳ３）、制御部１５における制御によって記憶部１２に記憶される（ステップＳ４）。
【００２９】
その後、発行するＲＦ−ＩＤシート１がシート発行装置１０にセットされると、まず、リーダ／ライタ部１３において、ＲＦ−ＩＤシート１に内蔵されたＩＣモジュール３の動作の正常性が確認される。なお、ＩＣモジュール３の動作の正常性の確認は、リーダ／ライタ部１３からＩＣモジュール３に所定の情報を書き込み、その後、ＩＣモジュール３から情報を読み出し、リーダ／ライタ部１３において書き込んだ情報と比較することにより、情報が正確に書き込まれ、読み出されているかどうかを確認することにより行われる。
【００３０】
ＩＣモジュール３の動作の正常性が確認されると、次に、リーダ／ライタ部１３において、ＲＦ−ＩＤシート１に内蔵されたＩＣモジュール３から、ＩＣモジュール３に予め付与されて書き込まれたＩＣモジュール３を識別可能な識別情報が読み出され（ステップＳ５）、読み出された識別情報が制御部１５の制御によって記憶部１２に記憶される（ステップＳ６）。
【００３１】
次に、制御部１５における制御によって、上位装置２０から供給され、記憶部１２に記憶されたエンコードレイアウトに従って、上位装置２０から供給され、記憶部１２に記憶されたエンコードデータがリーダ／ライタ部１３によりＩＣモジュール３に書き込まれる（ステップＳ７）。
【００３２】
次に、制御部１５における制御によって、上位装置２０から供給され、記憶部１２に記憶された印字レイアウトに従って、上位装置２０から供給され、記憶部１２に記憶された印字データが印字部１４によりＲＦ−ＩＤシート１に印字される（ステップＳ８）。
【００３３】
その後、制御部１５における制御によって、リーダ／ライタ部１３におけるＩＣモジュール３に対するエンコードデータの書き込み結果及び印字部１４におけるＲＦ−ＩＤシート１に対する印字データの印字結果を含む発行状況がインターフェース部１１を介して上位装置２０に報告される（ステップＳ９）。
【００３４】
シート発行装置１０から報告された発行状況が上位装置２０にて受け取られると（ステップＳ１０）、上位装置２０において、受け取られた発行状況が発行状況データベース３２に登録される（ステップＳ１１）。
【００３５】
ここで、シート発行装置１０から上位装置２０に報告され、発行状況データベース３２に登録される発行状況について詳細に説明する。
【００３６】
シート発行装置１０にて発行されるＲＦ−ＩＤシート１に内蔵されたＩＣモジュール３には、上述したようにＲＦ−ＩＤシート１を識別可能な識別情報が個別に付与されて書き込まれており、この識別情報がリーダ／ライタ部１３にて読み出され、記憶部１２に記憶されている。また、リーダ／ライタ部１３におけるＩＣモジュール３に対するエンコードデータの書き込みや印字部１４におけるＲＦ−ＩＤシート１に対する印字データの印字は、記憶部１２に記憶された発行情報に基づいて行われたものであり、この発行情報には上述したように発行情報毎に識別情報が付与されており、記憶部１２に記憶されている。
【００３７】
制御部１５においては、リーダ／ライタ部１３におけるＩＣモジュール３に対するエンコードデータの書き込み結果及び印字部１４におけるＲＦ−ＩＤシート１に対する印字データの印字結果を、これらのエンコードデータ及び印字データを含む発行情報の識別情報と、ＩＣモジュール３から読み出された識別情報と対応づけて上位装置２０に報告する。
【００３８】
上位装置２０においては、発行情報の識別情報と、この発行情報によって発行されたＲＦ−ＩＤシートに内蔵されるＩＣモジュールの識別情報との対応づけに基づいて、どのＩＣモジュールにどの発行情報によるエンコードデータがエンコードされ、また、どのＲＦ−ＩＤシートにどの発行情報による印字データが印字されているかを把握することができるようになる。
【００３９】
これにより、上位装置２０においては、発行状況データベース３２に登録された情報を、発行されたＲＦ−ＩＤシート１に読取エラー等の障害や偽造品が発生した場合における追跡調査等に利用することができる。
【００４０】
また、シート発行装置１０に対して、シート発行装置１０を識別可能な識別情報を付与しておき、この識別情報を、上述した発行情報の識別情報とＩＣモジュールの識別情報と対応づけて上位装置２０に報告すれば、上位装置において、どのＩＣモジュールにどの発行情報によるエンコードデータがどのシート発行装置にてエンコードされ、また、どのＲＦ−ＩＤシートにどの発行情報による印字データがどのシート発行装置にて印字されたかを把握することができるようになる。
【００４１】
また、ＩＣモジュール３に対するエンコード工程あるいはＲＦ−ＩＤシート１に対する印字工程を含むシート発行処理中において障害が発生した場合に、その障害の内容を上述した発行状況に含めて上位装置２０に報告することも考えられる。その場合、障害の内容に応じた障害コードを発行状況に含めて上位装置２０に報告することが考えられる。
【００４２】
図１に示したようなシート発行装置１０においては、印字部１４や、リーダ／ライタ部１３や、ＲＦ−ＩＤシート１を搬送するための搬送手段（不図示）において、障害を検出するためのセンサが設けられている。これらのセンサにおいて障害が検出された場合に、そのセンサを示すコードやセンサにおける障害検出内容に応じたコードを発行状況に含めて上位装置２０に報告するように構成すれば、上位装置２０において、発行処理にて障害が発生したＲＦ−ＩＤシートを認識することができるとともに、その障害内容を認識することができる。
【００４３】
なお、本形態で発行されるＲＦ−ＩＤシート１は、連続したシート状のラベルや、カードやタグが例として挙げられ、また、シート形態は連続状には限らず、単片状のものであってもよい。
【００４４】
【発明の効果】
上記のように構成された本発明においては、非接触状態にて情報の書き込み及び読み出しが可能に構成され、識別可能となる識別情報が書き込まれたＩＣモジュールが内蔵されたＲＦ−ＩＤシートに対して、ＩＣモジュールに所定のエンコード情報を書き込むとともに表面に印字情報を印字することによりＲＦ−ＩＤシートを発行するシート発行装置において、ＩＣモジュールに対してエンコード情報を書き込むとともにＩＣモジュールから識別情報を読み出す情報読出／書込手段と、ＲＦ−ＩＤシートに印字情報を印字する印字手段と、ＲＦ−ＩＤシートの発行状況を、そのＲＦ−ＩＤシートに内蔵されたＩＣモジュールから読み出された識別情報と対応づけて出力する制御手段とを設けたため、制御手段から出力された情報を用いてＲＦ−ＩＤシート毎の発行状況を管理することができる。
【００４５】
また、制御手段において、情報読出／書込手段にてＩＣモジュールに書き込まれたエンコード情報の内容と、印字手段にてＲＦ−ＩＤシートに印字された印字情報の内容とが、ＲＦ−ＩＤシートの発行状況として出力されるように構成したものにおいては、制御手段から出力された情報を用いて、どのＲＦ−ＩＤシートにどのエンコード情報や印字情報がエンコードあるいは印字されているかを把握することができる。
【００４６】
また、ＲＦ−ＩＤシートの発行処理中における障害を検出する検出手段を設け、制御手段において、検出手段にて検出された障害が発行状況として出力されるように構成したものにおいては、制御手段から出力された情報を用いて、発行処理中に障害が発生したＲＦ−ＩＤシートを認識することができるとともにその障害内容を認識することができる。
【図面の簡単な説明】
【図１】本発明のシート発行装置を用いたシート発行システムの実施の一形態を示す図である。
【図２】図１に示したシート発行システムにて発行されるＲＦ−ＩＤシートの一構成例を示す図である。
【図３】図１に示したシート発行システムにおいて図２に示したＲＦ−ＩＤシートを発行する際の処理を説明するためのフローチャートである。
【図４】非接触状態にて情報の書き込み及び読み出しが可能なＩＣモジュールが内蔵されたＲＦ−ＩＤシートを発行するシート発行装置の一構成例を示すブロック図である。
【符号の説明】
１　　ＲＦ−ＩＤシート
２　　印字領域
３　　ＩＣモジュール
１０　　シート発行装置
１１　　インターフェース部
１２　　記憶部
１３　　リーダ／ライタ部
１４　　印字部
１５　　制御部
２０　　上位装置
３１　　発行情報データベース
３２　　発行状況データベース
【図１】
2004046691.tif 000003
【図２】
2004046691.tif 000004
【図３】
2004046691.tif 000005
【図４】
2004046691.tif 000006